(57)【特許請求の範囲】
【請求項１】
画像を形成する画像形成装置と、
前記画像形成装置の利用者と、前記画像形成装置の利用に用いられる第一の度数情報とを対応付けて管理する管理装置と、
利用者と対応付けられ前記画像形成装置の利用に用いられる第二の度数情報を記録する情報記録媒体から、この第二の度数情報を読み取る読取装置と、
前記画像形成装置の利用に用いられる値が第一の度数情報を超えた場合に、第二の度数情報を消費する消費手段と、
を有し、
前記管理装置は、各利用者に対応する第一の度数情報に対して定期的に所定の度数を追加付与する課金管理システム。
【請求項２】
利用者から画像形成を要求する要求情報を受付ける受付手段と、
前記受付手段が受付けた要求情報に対し、第一の度数情報及び第二の度数情報それぞれが消費される状況を表示する表示手段と、
要求情報から前記画像形成装置に画像を形成させる情報を選択する選択手段と、
をさらに有する請求項１記載の課金管理システム。
【請求項３】
一つの前記管理装置に対して、前記画像形成装置及び読取装置がそれぞれ二以上設けられている請求項１又は２記載の課金管理システム。
【請求項４】
前記表示手段は、第一の度数情報及び第二の度数情報それぞれが消費される状況に応じて異なる態様で表示する請求項２記載の課金管理システム。
【請求項５】
前記画像形成装置は、複写装置である請求項１乃至４いずれか記載の課金管理システム。
【発明の詳細な説明】
【技術分野】
【０００１】
本発明は、課金管理システムに関する。
【背景技術】
【０００２】
特許文献１には、情報サービス装置は電子メールにより処理依頼を受けると、電子メールからどのグループのどのユーザがサービスを利用するかの情報を取得し、該ユーザの課金が残っているかどうかを課金管理装置に問い合わせ、この課金管理装置は該ユーザの課金およびグループ全体の課金がそれぞれの制限額に達しているかどうかを調べて、情報サービス装置に返答し、情報サービス装置は該返答結果をもとに、該ユーザのサービスの利用の可否を判断する。
【先行技術文献】
【特許文献】
【０００３】
【特許文献１】特開平１０−３９９４３号公報
【発明の概要】
【発明が解決しようとする課題】
【０００４】
本発明は、画像形成に伴い消費される度数情報を利用者に対して一括に管理して付与することができる課金管理システムを提供することを目的とする。
【課題を解決するための手段】
【０００５】
請求項１に係る本発明は、画像を形成する画像形成装置と、前記画像形成装置の利用者と、前記画像形成装置の利用に用いられる第一の度数情報とを対応付けて管理する管理装置と、利用者と対応付けられ前記画像形成装置の利用に用いられる第二の度数情報を記録する情報記録媒体から、この第二の度数情報を読み取る読取装置と、前記画像形成装置の利用に用いられる値が第一の度数情報を超えた場合に、第二の度数情報を消費する消費手段と、を有し、前記管理装置は、各利用者に対応する第一の度数情報に対して定期的に所定の度数を追加付与する課金管理システムである。
【０００６】
請求項２に係る本発明は、利用者から画像形成を要求する要求情報を受付ける受付手段と、前記受付手段が受付けた要求情報に対し、第一の度数情報及び第二の度数情報それぞれが消費される状況を表示する表示手段と、要求情報から前記画像形成装置に画像を形成させる情報を選択する選択手段と、をさらに有する請求項１記載の課金管理システムである。
【０００７】
請求項３に係る本発明は、一つの前記管理装置に対して、前記画像形成装置及び読取装置がそれぞれ二以上設けられている請求項１又は２記載の課金管理システムである。
【０００８】
請求項４に係る本発明は、前記表示手段は、第一の度数情報及び第二の度数情報それぞれが消費される状況に応じて異なる態様で表示する請求項２記載の課金管理システムである。
【０００９】
請求項５に係る本発明は、前記画像形成装置は、複写装置である請求項１乃至４いずれか記載の課金管理システムである。
【発明の効果】
【００１０】
請求項１に係る本発明によれば、画像形成に伴い消費される度数情報を利用者に対して一括に管理して付与することができる。
【００１１】
請求項２に係る発明によれば、請求項１に係る本発明の効果に加えて、利用者に対し、第一の度数情報及び第二の度数情報それぞれが消費される状況に応じて、画像を形成する情報を選択させることができる。
【００１２】
請求項３に係る本発明によれば、本構成を有さない場合と比較して、より効果的に画像形成に伴い消費される度数情報を利用者に対して一括に管理して付与することができる。
【００１３】
請求項４に係る本発明によれば、請求項２又は３に係る本発明の効果に加えて、利用者に対し、第一の度数情報及び第二の度数情報それぞれが消費される状況を判断し易くすることができる。
【００１４】
請求項５に係る本発明によれば、請求項１乃至４いずれかに係る本発明の効果に加えて、画像形成装置とネットワークとの接続を省略できる。
【図面の簡単な説明】
【００１５】
【図１】本発明の一実施形態が適用される課金管理システムの構成の概略図である。
【図２】本発明の一実施形態が適用される課金情報送出装置のハードウエア構成を示す図である。
【図３】本発明の一実施形態が適用される管理装置が管理する識別情報、課金条件、及び第一の度数情報の例示である。
【図４】図４（ａ）は、本発明の一実施形態が適用される読取装置の機能構成であり、図４（ｂ）は、情報記録媒体に記憶された情報の例示である。
【図５】本発明の一実施形態における課金管理システムの動作のフローチャートある。
【図６】本発明の一実施形態が適用される課金情報送出装置の表示装置に表示される課金状況の例示である。
【図７】第二実施形態に係る課金管理システムの構成の概略図である。
【図８】第二実施形態に係る読取装置の機能構成である。
【図９】第二実施形態に係る課金管理システムの動作のフローチャートある。
【発明を実施するための形態】
【００１６】
［第一実施形態］
本発明の実施形態について図面を参照して説明する。
図１は、本発明の一実施形態に係る課金管理システム１の構成の概略図を示す。
【００１７】
課金管理システム１は、例えば大学等、同一の事業者が管理する敷地内において、様々な身分の者（教員や学生等）が様々な場所で、共通の装置を使用して画像を形成するような状況において用いられる。
【００１８】
課金管理システム１は、利用者が操作する複数の端末装置１０と、管理装置１２と、複数の課金機能付画像形成装置１４ａ、１４ｂ、１４ｃと、集計装置１６とが、例えばLANやWAN等のネットワーク１８を介して接続されることにより構成される。
【００１９】
複数の端末装置１０及び複数の課金機能付画像形成装置１４ａ−１４ｃそれぞれは、例えば、異なる場所や施設等に配置される。
課金機能付画像形成装置１４ａ−１４ｃは、同様の構成となっているため、以下、課金機能付画像形成装置１４と総称して説明する場合がある。課金機能付画像形成装置１４を構成する各装置についても同様とする。
課金機能付画像形成装置１４は、管理装置１２よりも多く設けられており、本実施形態においては、一つの管理装置１２に対して複数の課金機能付画像形成装置１４が設けられた構成となっている。
【００２０】
端末装置１０は、利用者（ユーザ）の要求に応じて、電子文書の内容を用紙等の記録媒体に印刷するよう要求する。端末装置１０としては、例えばPC（Personal Computer）等が用いられる。
【００２１】
具体的には、端末装置１０は、利用者の要求に応じて印刷情報を管理装置１２に通知する。
印刷情報には、文書特定情報と印刷条件とが含まれる。
文書特定情報には、例えば、印刷を要求した利用者の識別情報、文書名、印刷を要求した日時等が含まれる。識別情報は、利用者を一意に識別する情報を示す。
印刷条件には、例えば、印刷する部数や用紙のサイズ、印刷モード（カラー印刷又は白黒印刷）等の条件が含まれる。
【００２２】
管理装置１２は、識別情報、課金条件、及び第一の度数情報それぞれを対応付けて管理する。また、管理装置１２は、利用者が印刷を要求する電子文書内容（文書や画像等、印刷する内容自体に関する情報）を管理する。
第一の度数情報は、例えばポイント等として表わされ、後述する画像形成装置２６の利用に用いられる情報である。第一の度数情報は、例えば管理装置１２の管理者等によって定期的に付与（チャージ）される。
管理装置１２としては、例えば汎用のサーバコンピュータ等が用いられる。
【００２３】
課金機能付画像形成装置１４は、利用者を認証してそれぞれに応じた課金条件で課金し、画像を形成する。
課金機能付画像形成装置１４は、読取装置２２と、課金情報送出装置２４と、画像形成装置２６とにより構成される。
【００２４】
読取装置２２は、識別情報及び第二の度数情報を記録する例えばICカード等の情報記録媒体２８（図４（ｂ）参照）から識別情報及び第二の度数情報を読み取り、読み取った識別情報を課金情報送出装置２４に伝送する。読取装置２２は、例えばUSBにより課金情報送出装置２４と接続されている。
第二の度数情報は、例えばポイント等として表わされ、画像形成装置２６の利用に用いられる情報である。
【００２５】
このように、第二の度数情報と第一の度数情報とは、管理あるいは記録される場所が異なっているものであり、画像形成装置２６の利用に用いられる情報として共通する。以下、第一の度数情報及び第二の度数情報これらを、「度数情報」として総称する場合がある。
【００２６】
また、読取装置２２は、情報記録媒体２８から読み取った識別情報に対応する課金条件に従って、管理装置１２の第一の度数情報、あるいは、この情報記録媒体２８の第二の度数情報を消費する。
情報記録媒体２８に記録される第二の度数情報は、例えば、利用者それぞれによって所定の設備等を用いて追加（チャージ）されるものである。
【００２７】
課金情報送出装置２４は、管理装置１２を参照して、読取装置２２から伝送される識別情報に対応する課金条件及び第一の度数情報を、この読取装置２２に通知する。あわせて課金情報送出装置２４は、管理装置１２が保持する印刷情報のうち識別情報に対応するものを読取装置２２に伝送する。
また、課金情報送出装置２４は、読取装置２２により算出される第一の度数情報の残高を管理装置１２に送信する。
課金情報送出装置２４としては、例えばPC（Personal Computer）等が用いられる。
【００２８】
画像形成装置２６は、読取装置２２から印刷の指示を受けると、管理装置１２から文書情報内容を受信して、この内容を画像として用紙等の記録媒体に形成する。
画像形成装置２６としては、例えば電子写真方式等のものが用いられる。
【００２９】
集計装置１６は、複数設けられた課金機能付画像形成装置１４それぞれの画像形成装置２６において印刷された印刷情報を集計する。複数の画像形成装置２６の使用に対する全体的な費用は、集計装置１６が収集した印刷情報に基づいて算出される。
【００３０】
集計装置１６は、識別情報と全体の画像形成装置２６における印刷情報とを対応付けて管理するようにしてもよい。この場合、集計装置１６によって、利用者それぞれについての、例えばカラー印刷した枚数や、使用した用紙サイズ等について把握される。
【００３１】
次に、課金情報送出装置２４のハードウエア構成について説明する。
図２は、課金情報送出装置２４のハードウエア構成を示す。
【００３２】
課金情報送出装置２４は、CPU３０及びメモリ３２等を含む制御装置３４と、ハードディスクドライブ（HDD）等の記録装置３６と、ユーザインタフェース（UI）装置３８と、ネットワーク１８を介し管理装置１２等と情報の送受信を行う通信装置４０と、読取装置２２と接続し情報の伝送を行う接続部４２とにより構成される。
UI装置３８は、液晶ディスプレイ等の表示装置４４と、キーボード及びマウス等の入力装置４６とを含む。
【００３３】
表示装置４４は、端末装置１０が利用者から受付けた印刷情報と、それぞれの印刷情報に対して課金される課金状況とを表示する（図６参照）。
入力装置４６は、端末装置１０が受付けた印刷情報のうち画像形成装置２６に印刷させる印刷情報（文書名）について利用者からの入力を受付ける。
このように、課金情報送出装置２４は、端末装置１０に要求した印刷情報に対してなされる課金状況を利用者に把握させた上で、画像形成装置２６に印刷させる文書を選択させて、印刷を指示するようになっている、
【００３４】
課金情報送出装置２４において、所定の課金管理プログラムは、通信装置４０又はコンパクトディスク（CD）等の情報伝達媒体４８を介して記録装置３６に格納され、メモリ３２にロードされて、制御装置３４で動作する図示しないOS（Operating System）上で実行される。
【００３５】
端末装置１０、管理装置１２、及び集計装置１６のハードウエア構成は、接続部４２を除いて、課金情報送出装置２４の構成と同様となっている。
端末装置１０における通信装置４０は、ネットワーク１８を介して管理装置１２等と情報の送受信を行う。
管理装置１２における通信装置４０は、ネットワーク１８を介して端末装置１０、課金情報送出装置２４、及び画像形成装置２６等と情報の送受信を行う。
集計装置１６における通信装置４０は、ネットワーク１８を介して課金情報送出装置２４等と情報の送受信を行う。
【００３６】
次に、管理装置１２が管理する識別情報、課金条件、及び第一の度数情報について説明する。
図３は、管理装置１２が管理する識別情報、課金条件、及び第一の度数情報を例示する。
【００３７】
図３（ａ）に示すように、管理装置１２は、識別情報それぞれに対応付けて種々の課金形態、及び第一の度数情報を管理する。
図３（ｂ）に示すように、それぞれの課金形態について、例えば用紙サイズや印刷モード（カラー印刷か白黒印刷か等）に応じて画像形成に用いられる値（消費する度数情報）が設定されている。
【００３８】
図３においては、識別情報「０００１」の利用者（具体的には、識別情報「０００１」を記憶する情報記録媒体２８を所持する者）に対しては、課金形態Ｆが適用される。このため、識別情報「０００１」の利用者に対しては度数情報が消費されず、無料で画像形成装置２６を利用させることとなる。
また、識別情報「０００１」の利用者には、第一の度数情報が「500」付与されている。
【００３９】
一方、識別情報「０００３」の利用者に対しては、課金形態Ａが適用される。このため、識別情報「０００３」の利用者に対しては、用紙サイズ等に応じて度数情報が消費され、有料で画像形成装置２６を利用させることとなる。
また、識別情報「０００３」の利用者には、第一の度数情報が「2500」付与されている。
【００４０】
識別情報「０００４」の利用者に対しては、識別情報「０００３」の利用者とは単価の異なる課金形態Ｂが適用される。このため、識別情報「０００４」の利用者に対しては、識別情報「０００３」の利用者とは異なる単価で度数情報が消費され、有料で画像形成装置２６を利用させることとなる。
識別情報「０００４」の利用者の第一の度数情報は「0」、すなわち、第一の度数情報の残高がない状態となっている。
【００４１】
課金管理システム１が、例えば大学において用いられる場合、教員に対しては課金形態Ｆを、来校者に対しては課金形態Ａを、学生に対しては課金形態Ｂを適用する等、それぞれの利用者に応じた課金条件が管理装置１２により一括して管理される。
この場合、複数ある読取装置２２や画像形成装置２６等、あるいは、利用者が所有する情報記録媒体２８それぞれについての設定を変更することなく、利用者に応じた課金条件が管理される。
【００４２】
また、第一の度数情報は、例えば月初め等、定期的にそれぞれの利用者ごとに応じて管理装置１２に対して一括に付与される。
この場合、例えば、利用者が所定の設備等に出向いて第一の度数情報を追加（チャージ）する等の手間を省いてそれぞれの利用者に第一の度数情報が付与される。
【００４３】
次に、読取装置２２の機能構成について説明する。
図４（ａ）は、読取装置２２の機能構成を示す。
図４（ｂ）は、情報記録媒体２８に記憶される情報を例示する。
【００４４】
読取装置２２は、読取部６０と、伝送部６２と、算出部６４と、画像形成指示部６６と、書込部６８と、表示部７０とにより構成される。
【００４５】
読取部６０は、情報記録媒体２８から識別情報及び第二の度数情報（図４（ｂ）参照）を読み取る。読取部６０は、読取った識別情報を伝送部６２に転送し、第二の度数情報を算出部６４に転送する。
【００４６】
伝送部６２は、読取部６０から転送される識別情報、及び算出部６４から転送される第一の度数情報残額を課金情報送出装置２４に伝送する。また、伝送部６２は、課金情報送出装置２４から識別情報に対応する第一の度数情報、課金条件、及び印刷情報を受信し、これらを算出部６４に転送する。
【００４７】
算出部６４は、読取部６０から第二の度数情報を、伝送部６２から第一の度数情報、課金条件、及び印刷情報を受信する。
【００４８】
算出部６４は、課金条件及び印刷条件に基づいて、その印刷に対し課金される値（課金額）を算出し、この課金額と受信した第一の度数情報及び第二の度数情報とから新たな度数情報（残高）を算出する。
具体的には、算出部６４は、課金額についてまず第一の度数情報を消費し、第一の度数情報の残額を算出する。第一の度数情報が課金額以上ある場合、情報記録媒体２８から読み取った第二の度数情報は消費されない。一方、第一の度数情報が課金額未満である場合、その不足分については第二の度数情報が消費される。
このように、算出部６４は、第一の度数情報を第二の度数情報に優先して消費する消費手段として機能するようになっている。
【００４９】
算出部６４は、第一の度数情報残額を課金情報送出装置２４に転送し、第二の度数情報に関する算出結果を書込部６８及び表示部７０に転送する。なお、第二の度数情報が消費されていない場合は、書込部６８に第二の度数情報に関する算出結果を転送しないようにしてもよい。
【００５０】
また、算出部６４は、算出結果が有効な場合、画像形成指示部６６に印刷情報を転送する。算出結果が有効な場合とは、例えば、第一の度数情報及び情報記録媒体２８から読み取った第二の度数情報との合計が、課金額以上である状態を示す。
【００５１】
画像形成指示部６６は、算出部６４から印刷情報を受信すると、これに従って画像形成装置２６に画像の形成を指示する。
【００５２】
書込部６８は、算出部６４から受信した算出結果を新たな第二の度数情報として情報記録媒体２８に書き込む。
【００５３】
表示部７０は、算出部６４から受信した算出結果に基づいて、課金額及び新たな第二の度数情報を表示する。利用者が表示部７０を参照することにより、その印刷に要した課金額及び残高が確認される。
【００５４】
次に、課金管理システム１による課金動作について説明する。
図５は、課金管理システム１による課金動作（Ｓ１０）のフローチャートを示す。
図６は、課金情報送出装置２４の表示装置４４に表示される課金状況を例示する。
【００５５】
ステップ１０２（Ｓ１０２）において、端末装置１０は、利用者の要求に応じて印刷情報を管理装置１２に送信し、管理装置１２はこの印刷情報を保持する。
【００５６】
ステップ１０４（Ｓ１０４）において、複数ある課金機能付画像形成装置１４いずれかの読取装置２２は、利用者の有する情報記録媒体２８から識別情報を読み取り、これを課金情報送出装置２４に伝送する。
例えば、利用者が所望する場所に配置された課金機能付画像形成装置１４に出向き、その読取装置２２に情報記録媒体２８をかざすことで、識別情報が読み取られることとなる。
【００５７】
ステップ１０６（Ｓ１０６）において、課金情報送出装置２４は、読取装置２２から伝送された識別情報を管理装置１２に送信する。
【００５８】
ステップ１０８（Ｓ１０８）において、管理装置１２は、管理する情報を参照して、課金情報送出装置２４から送信された識別情報に対応する第一の度数情報及び課金条件をその課金情報送出装置２４に送信する。あわせて管理装置１２は、保持する印刷情報のうち識別情報に対応するものを課金情報送出装置２４に送信する。
【００５９】
ここで、管理装置１２は、識別情報が記録された情報に一致しない場合（例えば、対応する識別情報が存在しない場合）、その旨を課金情報送出装置２４に通知する。
この場合、識別情報が認証されないとして、その利用者に対して画像形成装置２６による画像形成は許可されないこととなる。この際、読取装置２２の表示部７０又は画像形成装置２６の表示部に、その旨を表示するようにしてもよい。
【００６０】
ステップ１１０（Ｓ１１０）において、課金情報送出装置２４は、第一の度数情報、課金条件、及び印刷情報を読取装置２２に伝送する。
【００６１】
ステップ１１２（Ｓ１１２）において、読取装置２２は、印刷情報についての課金額やそれに従って消費される第一の度数情報及び第二の度数情報等を算出し、算出結果を課金情報送出装置２４に伝送する。
【００６２】
ステップ１１４（Ｓ１１４）において、課金情報送出装置２４は、印刷情報に対する課金状況を表示する（図６参照）。
表示装置４４を参照することにより、印刷情報それぞれに対して消費される第一の度数情報及び第二の度数情報が利用者に把握される。
例えば、情報記録媒体２８に記録された第二の度数情報を消費しない印刷情報と、これを消費する印刷情報とで色彩や濃度等を変更する等、これらを区別した態様で表示するようにしてもよい。
【００６３】
本実施形態においては、第一の度数情報及び第二の度数情報を消費する状況として、第二の度数情報を消費しない（第一の度数情報のみ消費する）状況、第二の度数情報を第一の度数情報と合せて消費する状況、及び第二の度数情報のみを消費する状況、これら三つの状況に応じて異なる態様で表示するようになっている。
【００６４】
図６において、端末装置１０が受付けた印刷情報に対する受付番号１〜３については、第一の度数情報の消費により印刷される状態を表している。
受付番号４については、第一の度数情報と第二の度数情報とを消費することで印刷される状態を表している。
受付番号５については、第二の度数情報の消費により印刷される状態を表している。
受付番号６については、第一の度数情報及び第二の度数情報が不足しており、印刷することができない状態を表している。
【００６５】
また、表示装置４４は、読取装置２２の算出結果より、第二の度数情報が不足する印刷情報に対しては印刷することができない旨、表示するようにしてもよい。
あわせて、表示装置４４は、その利用者に対応する識別情報や印刷情報を受付けた日時等を表示するようにしてもよい。
【００６６】
ステップ１１６（Ｓ１１６）において、課金情報送出装置２４は、利用者から画像形成装置２６により印刷する印刷情報の選択を受付け、この選択された印刷情報を読取装置２２に伝送する。
【００６７】
ステップ１１８（Ｓ１１８）において、読取装置２２は、課金情報送出装置２４において選択された印刷情報を画像形成装置２６に送信し印刷を指示する。
【００６８】
ステップ１２０（Ｓ１２０）において、画像形成装置２６は、管理装置１２に印刷情報に対応する電子文書内容を要求する。
【００６９】
ステップ１２２（Ｓ１２２）において、管理装置１２は、電子文書内容を要求した画像形成装置２６にその電子文書内容を送信する。
画像形成装置２６は、電子文書内容を受信すると、その内容を用紙等の記録媒体に印刷する。この際、画像形成装置２６は印刷が完了した旨を読取装置２２を介して課金情報送出装置２４に通知するようにしてもよい。
このようにして、画像形成装置２６により利用者の要求に応じた印刷が行われる。
【００７０】
ステップ１２４（Ｓ１２４）において、読取装置２２は、実際の印刷により消費された後の第一の度数情報の残額を課金情報送出装置２４に伝送する。
【００７１】
ステップ１２４（Ｓ１２４）において、課金情報送出装置２４は、読取装置２２から伝送された第一の度数情報の残額を管理装置１２に送信する。そして、管理装置１２は、利用者と対応づけて第一の度数情報を書き換える。
【００７２】
ステップ１２６（Ｓ１２６）において、課金情報送出装置２４は、画像形成装置２６が実際に印刷した印刷情報を集計装置１６に送信する。
なお、課金情報送出装置２４は、印刷情報を例えば一日分まとめて所定の時間に集計装置１６に送信するようにしてもよい。
【００７３】
上記実施形態においては、管理装置１２は、利用者を識別する識別情報と課金形態とを対応づけて管理する構成について説明したが、これに限らず、複数の画像形成装置２６それぞれの個体を識別する情報を加えて管理するようにしてもよい。
この場合、利用者に応じた課金条件に加えて、画像形成装置２６それぞれに応じて単価を設定した管理がなされる。
例えば、高画質で印刷できる等、他の画像形成装置２６よりも高性能の画像形成装置２６に対しては単価を高く設定する等、画像形成装置２６それぞれの性能や設置場所、利用頻度等に応じて、状況に合わせた単価設定がなされる。
【００７４】
上記実施形態においては、読取装置２２において第一の度数情報及び第二の度数情報に対する算出を行う構成について説明したが、これに限らず、そのような算出を課金情報送出装置２４により行うようにしてもよい。
【００７５】
また、課金情報送出装置２４は、利用者から画像形成装置２６により印刷する印刷情報の選択を受付ける前に、印刷する印刷情報の候補を受付け、その候補に対して課金される状況を新たに表示するようにしてもよい。この場合、本構成を有さない場合と比較して、利用者に対し、印刷に伴い消費される第一の度数情報及び第二の度数情報に応じた選択や判断等がされ易い構成となる。
【００７６】
例えば、図６において、受付番号５、６を印刷する候補として選択し、これら受付番号５、６を印刷する場合に課金される状況を表示するように切り替わる構成としてもよい。
【００７７】
［第二実施形態］
次に、第二実施形態について説明する。
図７は、第二実施形態に係る課金管理システム１００の構成の概略図を示す。
【００７８】
課金管理システム１００は、管理装置１２と、複数の課金機能付画像形成装置１４ａ、１４ｂ、１４ｃと、集計装置１６とが、例えばLANやWAN等のネットワーク１８を介して接続されることにより構成される。
【００７９】
第二実施形態においては、課金機能付画像形成装置１４は、読取装置１０２と、課金情報送出装置２４と、複写装置１０４とにより構成される。
【００８０】
複写装置１０４は、利用者によってこの複写装置１０４に載置された用紙等を複写するもの（例えばコピー機）であり、管理装置１２から文書情報の内容の受信を要するものでない。このため、本実施形態においては、複写装置１０４自体とネットワーク１８との接続が省略される。
なお、複写装置１０４をネットワーク１８に接続するようにしてもよい。
【００８１】
複写装置１０４は、利用者から複写条件を受付けそれに応じて複写するとともに、複写条件を読取装置１０２に送信する。
複写条件には、例えば、複写して印刷する部数や用紙のサイズ、印刷モード（カラー印刷又は白黒印刷）等の条件が含まれる。
【００８２】
次に、第二実施形態にかかる読取装置１０２の機能構成について説明する。
図８は、読取装置１０２の機能構成を示す。
【００８３】
読取装置２２は、読取部１２０と、伝送部１２２と、算出部１２４と、複写送受信部１２６と、書込部１２８と、表示部１３０とにより構成される。
【００８４】
読取部１２０は、情報記録媒体２８から識別情報及び第二の度数情報（図４（ｂ）参照）を読み取る。読取部１２０は、読取った識別情報を伝送部１２２に転送し、第二の度数情報を算出部１２４に転送する。
【００８５】
伝送部１２２は、読取部１２０から転送された識別情報、及び算出部６４から転送される第一の度数情報残額を課金情報送出装置２４に伝送する。また、伝送部１２２は、課金情報送出装置２４から識別情報に対応する第一の度数情報、課金条件を受信し、これを算出部１２４に転送する。
【００８６】
算出部１２４は、読取部１２０から第二の度数情報を、伝送部１２２から課金条件を、
複写送受信部１２６から複写条件をそれぞれ受信する。算出部１２４は、課金条件及び複写条件に基づいて、その複写に対し課金される値（課金額）を算出し、この課金額と受信した第二の度数情報とから新たな第二の度数情報（残高）を算出する。
算出部１２４は、算出結果を書込部１２８及び表示部１３０に転送する。
【００８７】
また、算出部１２４は、算出結果が有効な場合、複写送受信部１２６にその旨を通知する。
【００８８】
算出部１２４は、読取部１２０から第二の度数情報を、伝送部１２２から第一の度数情報及び課金条件を、複写送受信部１２６から複写条件をそれぞれ受信する。
【００８９】
算出部１２４は、課金条件及び複写条件に基づいて、その複写に対し課金される値（課金額）を算出し、この課金額と受信した第一の度数情報及び第二の度数情報とから新たな第二の度数情報（残高）を算出する。
具体的には、算出部１２４は、課金額についてまず第一の度数情報を消費し、第一の度数情報残額を算出する。第一の度数情報が課金額以上ある場合、情報記録媒体２８から読み取った第二の度数情報は消費されない。一方、第一の度数情報が課金額未満である場合、その不足分については第二の度数情報が消費される。
算出部１２４は、第一の度数情報残額を課金情報送出装置２４に転送し、第二の度数情報に関する算出結果を書込部１２８及び表示部１３０に転送する。なお、第二の度数情報が消費されていない場合は、書込部１２８に第二の度数情報に関する算出結果を転送しないようにしてもよい。
【００９０】
また、算出部１２４は、算出結果が有効な場合、複写送受信部１２６に複写の許可を通知する。
【００９１】
複写送受信部１２６は、算出部１２４から複写の許可が通知されると、これに従って複写装置１０４に複写の許可を通知する。
【００９２】
書込部１２８は、算出部１２４から受信した算出結果を新たな第二の度数情報として情報記録媒体２８に書き込む。
【００９３】
表示部１３０は、算出部１２４から受信した算出結果に基づいて、課金額及び新たな第二の度数情報を表示し、利用者に新たな第二の度数情報を示す。
【００９４】
次に、課金管理システム１００による課金動作について説明する。
図８は、課金管理システム１００による課金動作（Ｓ２０）のフローチャートを示す。
【００９５】
ステップ２０２（Ｓ２０２）において、複数ある課金機能付画像形成装置１４いずれかの読取装置１０２は、利用者の有する情報記録媒体２８から識別情報を読み取り、これを課金情報送出装置２４に伝送する。
例えば、利用者が所望する場所に配置された課金機能付画像形成装置１４に出向き、その読取装置１０２に情報記録媒体２８をかざすことで、識別情報が読み取られることとなる。
【００９６】
ステップ２０４（Ｓ２０４）において、課金情報送出装置２４は、読取装置１０２から伝送された識別情報を管理装置１２に送信する。
【００９７】
ステップ２０６（Ｓ２０６）において、管理装置１２は、管理する情報を参照して、課金情報送出装置２４から送信された識別情報に対応する第一の度数情報及び課金条件をその課金情報送出装置２４に送信する。
ここで、管理装置１２は、識別情報が記録された情報に一致しない場合（例えば、対応する識別情報が存在しない場合）、その旨を課金情報送出装置２４に通知する。この場合、識別番号が認証されないとして、その利用者に対して複写装置１０４による複写は許可されないこととなる。
【００９８】
ステップ２０８（Ｓ２０８）において、課金情報送出装置２４は、第一の度数情報及び課金条件を読取装置１０２に伝送する。
【００９９】
ステップ２１０（Ｓ２１０）において、複写装置１０４は、利用者から複写条件を受付ける。
【０１００】
ステップ２１２（Ｓ２１２）において、複写装置１０４は、利用者から受付けた複写条件を読取装置１０２に伝送する。
【０１０１】
ステップ２１４（Ｓ２１４）において、読取装置１０２は、複写条件についての課金額やそれに従って消費される第一の度数情報及び第二の度数情報等を算出し、算出結果を課金情報送出装置２４に伝送する。
【０１０２】
ステップ２１６（Ｓ２１６）において、課金情報送出装置２４は、複写条件に対する算出結果を表示する。
表示装置４４を参照することにより、複写条件に対して消費される第一の度数情報及び第二の度数情報が利用者に把握される。
【０１０３】
ステップ２１８（Ｓ２１８）において、課金情報送出装置２４は、利用者から複写装置１０４により複写する複写条件の選択を受付け、この選択された複写条件を読取装置１０２に伝送する。
【０１０４】
ステップ２２０（Ｓ２２０）において、読取装置１０２は、課金情報送出装置２４において選択された複写条件を複写装置１０４に送信し複写を指示する。
このようにして、複写装置１０４により利用者の要求に応じた複写が行われる。
【０１０５】
ステップ２２２（Ｓ２２２）において、読取装置１０２は、実際の印刷により消費された後の第一の度数情報の残額を課金情報送出装置２４に伝送する。
【０１０６】
ステップ２２４（Ｓ２２４）において、課金情報送出装置２４は、読取装置１０２から伝送された第一の度数情報の残額を管理装置１２に送信する。そして、管理装置１２は、利用者と対応づけて第一の度数情報を書き換える。
【０１０７】
ステップ２２６（Ｓ２２６）において、課金情報送出装置２４は、複写装置１０４が実際に複写した複写条件を識別情報に対応付けて集計装置１６に送信する。
【符号の説明】
【０１０８】
１    課金管理システム
１０    端末装置
１２    管理装置
１４    課金機能付画像形成装置
１６    集計装置
１８    ネットワーク
２２    読取装置
２４    課金情報送出装置
２６    画像形成装置
２８    情報記録媒体
６０    読取部
６２    伝送部
６４    算出部
６６    画像形成指示部
６８    書込部
７０    表示部
１００    課金管理システム
１０４    複写装置
【図１】
0005867895.tif 000002
【図２】
0005867895.tif 000003
【図３】
0005867895.tif 000004
【図４】
0005867895.tif 000005
【図５】
0005867895.tif 000006
【図６】
0005867895.tif 000007
【図７】
0005867895.tif 000008
【図８】
0005867895.tif 000009
【図９】
0005867895.tif 000010